(57)【要約】【課題】画質の調整を十分に行うことができ、画像の品質を良好に保つことができる投写型表示装置を提供する。【解決手段】プロジェクタは、ランプ２１と、ランプ２１からの光を映像信号に基づいて変調し映像光を生成する液晶パネル２３、２４、２５と、映像光の光路を遮断または開放する遮光シャッター２７と、遮光シャッター２７に分散配置された複数のセンサユニット２８を備える。センサユニット２８は、色度センサ２８１および照度センサ２８２を含む。ＣＰＵ１０１は、白一色のテスト画像に基づく映像光が遮光シャッター２７に照射された状態で、各色度センサ２８１により測定された色度が等しくなるように各パネル駆動回路１０６、１０７、１０８の駆動信号を調整する。また、各照度センサ２８２により測定された輝度が等しくなるように各パネル駆動回路１０６、１０７、１０８の駆動信号を調整する。【選択図】図５
2011223350.tif 000002
【特許請求の範囲】
【請求項１】
画像を被投写面に投写する投写型表示装置において、
光源と、
前記光源からの光を映像信号に基づいて変調し映像光を生成する光変調部と、
前記映像光の光路を遮断または開放するシャッターと、
前記シャッターに分散配置され、前記シャッターに照射された前記映像光に応じた検出信号を出力する複数の検出部と、
前記シャッターにより前記映像光を遮断した状態において、前記複数の検出部からの前記検出信号に基づいて、投写画像の画質を調整する画質調整部と、
を備えたことを特徴とする投写型表示装置。
【請求項２】
請求項１に記載の投写型表示装置において、
前記各検出部は、前記映像光の色度に応じた検出信号を出力する色度検出部を含み、
前記画質調整部は、前記色度が一様なテスト画像に基づく前記映像光が前記シャッターに照射された状態で、前記各色度検出部からの前記検出信号を取得し、取得した前記検出信号の差が小さくなるように、前記投写画像の色度を調整するための色度調整値を設定する、
ことを特徴とする投写型表示装置。
【請求項３】
請求項２に記載の投写型表示装置において、
前記シャッターには、互いに輝度の異なる複数の前記テスト画像に基づく前記映像光が照射されるとともに、
前記画質調整部は、各テスト画像に基づく前記映像光が照射された各状態において、対応する輝度に対する前記色度調整値を取得し、取得した前記各色度調整値に基づいて、前記投写画像の色度を調整する、
ことを特徴とする投写型表示装置。
【請求項４】
請求項１ないし３の何れか一項に記載の投写型表示装置において、
前記各検出部は、前記映像光の輝度に応じた検出信号を出力する輝度検出部を含み、
前記画質調整部は、前記輝度が一様なテスト画像に基づく前記映像光が前記シャッターに照射された状態で、前記各輝度検出部からの前記検出信号を取得し、取得した前記検出信号の差が小さくなるように、前記投写画像の輝度を調整するための輝度調整値を設定する、
ことを特徴とする投写型表示装置。
【請求項５】
請求項４に記載の投写型表示装置において、
前記シャッターには、互いに輝度の異なる複数の前記テスト画像に基づく前記映像光が照射されるとともに、
前記画質調整部は、各テスト画像に基づく前記映像光が照射された各状態において、対応する輝度に対する前記輝度調整値を取得し、取得した前記各輝度調整値に基づいて、前記投写画像の輝度を調整する、
ことを特徴とする投写型表示装置。
【請求項６】
請求項１ないし５の何れか一項に記載の投写型表示装置において、
前記映像光を拡大投写するための投写部を備え、
前記シャッターは、前記光変調部と前記投写部の間に配されている、
ことを特徴とする投写型表示装置。
【発明の詳細な説明】
【技術分野】
【０００１】
本発明は、光源からの光を変調して被投写面に投写する投写型表示装置に関する。
【背景技術】
【０００２】
投写型表示装置（以下、「プロジェクタ」という）は、光源からの光を光変調素子（液晶パネル等）で変調し、変調された光（以下、「映像光」という）を被投写面に投写する構成を有している。光源には、たとえば、ランプ光源が用いられ、光変調素子には、たとえば、液晶パネルが用いられる。
【０００３】
これら光源や光変調素子では、経年変化による劣化が避けられない。光源が劣化してその出力が低下すると、投写画像の輝度が低下してしまう。また、光変調素子が劣化すると、投写画像に輝度の低下や色度の変化が生じてしまう。その結果、投写画像の画質が劣化してしまうという問題がある。
【０００４】
かかる問題を解消するために、プロジェクタには、経年変化に基づく画質の劣化を解消するための構成が配され得る。たとえば、投写レンズの光射出面側に、光射出面を開閉するレンズカバーが設けられ、レンズカバーの裏面に、画質の状態を検出する光検出手段(
たとえば、色度センサ)が配される。光検出手段により画質の状態が検出され、検出結果
に基づいて、画質の補正が行われる（特許文献１参照）。
【先行技術文献】
【特許文献】
【０００５】
【特許文献１】特開２００８−３０９８３５号公報
【発明の概要】
【発明が解決しようとする課題】
【０００６】
ところで、輝度の低下や色度の変化は、必ずしも、投写画像全体に一様に生じない。プロジェクタは、光源からの光が液晶パネルに均一に照射されるように設計されている。しかし、このような設計によっても、液晶パネルの中央部の照度が高くなる傾向がある。このため、液晶パネルの中央部に劣化が生じやすく、この劣化によって、投写画像には、単に、輝度の低下や色度の変化が生じるだけでなく、輝度むらや色むらが生じやすい。
【０００７】
しかしながら、上記構成（特許文献１）のプロジェクタでは、レンズカバーの裏面に配された１つの光検出手段による検出結果に基づいて、色度等の画質の補正が行われるため、上記のような輝度むらや色度むらを補正することができない。よって、かかるプロジェクタでは、画質の調整を十分に行うことができず、このため、画像の品質を良好に保てない惧れがある。
【０００８】
本発明は、かかる課題に鑑みてなされたものであり、画質の調整を十分に行うことができ、画像の品質を良好に保つことができる投写型表示装置を提供することを目的とする。
【課題を解決するための手段】
【０００９】
本発明は、画像を被投写面に投写する投写型表示装置に関する。本発明の投写型表示装置は、光源と、前記光源からの光を映像信号に基づいて変調し映像光を生成する光変調部と、前記映像光の光路を遮断または開放するシャッターと、前記シャッターに分散配置され、前記シャッターに照射された前記映像光に応じた検出信号を出力する複数の検出部と、前記シャッターにより前記映像光を遮断した状態において、前記複数の検出部からの前
記検出信号に基づいて投写画像の画質を調整する画質調整部とを備える。
【００１０】
本発明の投写型表示装置によれば、各検出部からの検出信号を比較することにより、投写画像の画質むらを検出できるので、投写画像全体の輝度低下の補正のみならず、輝度むらや色度むら等の画質むらを解消するような画質の調整を行うことができる。
【００１１】
本発明の投写型表示装置において、前記各検出部は、前記映像光の色度に応じた検出信号を出力する色度検出部を含むよう構成され得る。この場合、前記画質調整部は、前記色度が一様なテスト画像に基づく前記映像光が前記シャッターに照射された状態で、前記各色度検出部からの前記検出信号を取得し、取得した前記検出信号の差が小さくなるように、前記投写画像の色度を調整するための色度調整値を設定する。
【００１２】
このような構成とすれば、投写画像の色度むらを低減することができる。
【００１３】
この構成に係る投写型表示装置おいて、前記シャッターには、互いに輝度の異なる複数の前記テスト画像に基づく前記映像光が照射されるとともに、前記画質調整部は、各テスト画像に基づく前記映像光が照射された各状態において、対応する輝度に対する前記色度調整値を取得し、取得した前記各色度調整値に基づいて、前記投写画像の色度を調整するよう構成され得る。
【００１４】
このような構成とすれば、投写画像の輝度に応じて、色度の調整具合を変えることが可能となる。よって、画像の品質を一層良好に保つことができる。
【００１５】
本発明の投写型表示装置において、前記各検出部は、前記映像光の輝度に応じた検出信号を出力する輝度検出部を含むよう構成され得る。この場合、前記画質調整部は、前記輝度が一様なテスト画像に基づく前記映像光が前記シャッターに照射された状態で、前記各輝度検出部からの前記検出信号を取得し、取得した前記検出信号の差が小さくなるように、前記投写画像の輝度を調整するための輝度調整値を設定する。
【００１６】
このような構成とすれば、投写画像の輝度むらを低減することができる。
【００１７】
この構成に係る投写型表示装置において、前記シャッターには、互いに輝度の異なる複数の前記テスト画像に基づく前記映像光が照射されるとともに、前記画質調整部は、各テスト画像に基づく前記映像光が照射された各状態において、対応する輝度に対する前記輝度調整値を取得し、取得した前記各輝度調整値に基づいて、前記投写画像の輝度を調整する。
【００１８】
このような構成とすれば、投写画像の輝度に応じて、輝度の調整具合を変えることが可能となる。よって、画像の品質を一層良好に保つことができる。
【００１９】
本発明の投写型表示装置は、前記映像光を拡大投写するための投写部を備えるよう構成され得る。この場合、前記シャッターは、前記光変調部と前記投写部の間に配されるよう構成され得る。
【００２０】
このような構成とすれば、投写部に入射される前の映像光が、検出部(色度検出部や輝
度検出部)に照射されるので、映像光が減衰したり機外の光の影響を受けたりしにくく、
画質の状態（色度や輝度）を精度良く検出することができる。
【発明の効果】
【００２１】
以上のとおり、本発明によれば、画質の調整を十分に行うことができ、画像の品質を良
好に保つことができる投写型表示装置を提供することができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００２３】
【図１】実施の形態に係るプロジェクタの構成を示す外観斜視図である。
【図２】実施の形態に係る光学エンジンの構成を示す図である。
【図３】実施の形態に係る遮光シャッターおよびセンサユニットの構成を示す図である。
【図４】実施の形態に係る遮光シャッターおよびセンサユニットの構成を示す図である。
【図５】実施の形態に係る制御回路部の構成を示すブロック図である。
【図６】実施の形態に係る画質調整モードで用いられるテスト画像用のデータが記憶されたデータテーブルを示す図である。
【図７】実施の形態に係る画質調整モードにおける制御処理を示すフローチャートである。
【図８】実施の形態に係る画質調整モードにおける制御処理を示すフローチャートである。
【図９】実施の形態に係る液晶パネルの画素領域がセンサユニットに対応して区画された状態を示す図である。
【図１０】実施の形態に係るテスト画像１を用いた画質調整の具体例を示す図である。
【図１１】実施の形態に係る画質調整の具体例における色度むら補正および色度補正について説明するための図である。
【図１２】実施の形態に係る各液晶パネルにおいて領域Ａ１〜Ａ９毎に決定される駆動信号の補正係数α、β、γを表した図である。
【図１３】実施の形態に係る補正係数テーブルの作成について説明するための図である。
【図１４】プロジェクタの変更例について説明するための図である。
【図１５】プロジェクタの変更例について説明するための図である。
【図１６】プロジェクタの他の変更例について説明するための図である。
【発明を実施するための形態】
【００２４】
以下、図面を参照して、実施の形態に係るプロジェクタについて説明する。
【００２５】
図１は、プロジェクタの構成を示す外観斜視図である。同図を参照して、プロジェクタは、横長の略直方体形状を有するキャビネット１０を備えている。キャビネット１０には、前面左側に投写窓１１が形成されており、前面右側および右側面にキャビネット１０内部から排気を行うための排気口１２、１３がそれぞれ形成されている。また、キャビネット１０の上面には、メインスイッチ等、複数の操作ボタンが配された操作部１４が設けられている。
【００２６】
キャビネット１０の内部には、光学エンジン２０および投写レンズ３０が配されている。光学エンジン２０は、映像信号により変調された映像光を生成する。光学エンジン２０には、投写レンズ３０が装着されており、投写レンズ３０の前端部が、投写窓１１から前方に露出している。投写レンズ３０は、光学エンジン２０で生成された映像光を、プロジェクタの前方に配されたスクリーンに拡大投写する。
【００２７】
図２は、光学エンジン２０の構成を示す図である。
【００２８】
同図の如く、光学エンジン２０は、ランプ２１と、導光光学系２２と、３つの透過型の液晶パネル２３、２４、２５と、ダイクロイックプリズム２６と、遮光シャッター２７とを備えている。なお、液晶パネル２３、２４、２５の入射側と出射側には図示しない偏光板が配されている。
【００２９】
ランプ２１は、たとえば、メタルハライドランプやキセノンランプである。ランプ２１から出射された白色光は、導光光学系２２によって赤色波長帯の光（以下、「Ｒ光」という）と、緑色波長帯の光（以下、「Ｇ光」という）と、青色波長帯の光（以下、「Ｂ光」という）に分離され、それぞれ赤色用液晶パネル２３、緑色用液晶パネル２４および青色用液晶パネル２５に照射される。これら液晶パネル２３、２４、２５によって変調されたＲ光、Ｇ光、Ｂ光は、ダイクロイックプリズム２６によって色合成され、映像光として出射される。
【００３０】
なお、光学エンジン２０を構成する光変調素子としては、上記透過型の液晶パネル２３、２４、２５の他、反射型の液晶パネルや、ＭＥＭＳデバイスを用いることもできる。また、光学エンジン２０は、上記のように３つの光変調素子を備えた３板式の光学系ではなく、たとえば、１つの光変調素子とカラーホイールを用いた単板式の光学系により構成することもできる。
【００３１】
ダイクロイックプリズム２６の出射面と投写レンズ３０の入射面との間には、遮光シャッター２７が配されている。
【００３２】
図３および図４は、遮光シャッター２７およびセンサユニット２８の構成を示す図である。図３（ａ）、（ｂ）は、それぞれ、上下のシャッター２７１、２７２が開いた状態を示す正面図および側面図である。また、図４（ａ）、（ｂ）は、それぞれ、上下のシャッター２７１、２７２が閉じた状態を示す正面図および側面図である。なお、図３（ａ）および図４（ａ）では、遮光シャッター２７の駆動機構Ｍの構成が図示省略されている。
【００３３】
図３および図４を参照して、遮光シャッター２７は、上シャッター２７１と、下シャッター２７２と、駆動機構Ｍとを備えている。上下のシャッター２７１、２７２は、ともに横長の長方形状を有し、図示しないガイド部によって、図の上下方向にスライド自在に支持されている。下シャッター２７２の上下方向の寸法は、上シャッター２７１の上下方向の寸法より大きくなっている。上シャッター２７１および下シャッター２７２は、駆動機構Ｍによって開閉される。
【００３４】
図３（ｂ）および図４（ｂ）に示すように、駆動機構Ｍは、上ラック２７３と、反転ギア２７４と、上ギア２７５と、下ラック２７６と、下ギア２７７と、駆動モータ２７８と、歯付きベルト２７９とを備えている。
【００３５】
上ラック２７３は、上シャッター２７１に装着されている。上ラック２７３には反転ギア２７４が連結されており、反転ギア３７４には上ギア２７５が連結されている。一方、下ラック２７６は、下シャッター２７２に装着されている。下ラックには、下ギア２７７が連結されている。
【００３６】
上ギア２７５と下ギア２７７は、歯付きベルト２７９によって、駆動モータ２７８のモータギア２７８ａに連結されている。
【００３７】
上下のシャッター２７１、２７２が開いた状態にあるときには、ダイクロイックプリズ
ム２６から出射された映像光は、図３（ａ）に示すように、上下のシャッター２７１、２７２の間を通過して、投写レンズ３０に入射する。このような開放状態から、駆動モータが、図３（ｂ）の矢印の如く回転すると、各ギア２７４、２７５、２７７が、図３（ｂ）の矢印の如く回転し、上シャッター２７１が下方へ移動するとともに、下シャッター２７２が上方へ移動する。こうして、図４に示すように、上下のシャッター２７１、２７２が閉じられる。
【００３８】
上下のシャッター２７１、２７２が閉じた状態になると、ダイクロイックプリズム２６から出射された映像光の光路は、図４（ａ）に示すように、上下のシャッター２７１、２７２に遮断される。これにより、映像光は、これらシャッター２７１、２７２に照射される。
【００３９】
上シャッター２７１には、３つのセンサユニット２８が配されており、下シャッター２７２には、６つのセンサユニット２８が配されている。これら９つのセンサユニット２８は、それぞれ、図４（ａ）の破線に示すように、映像光が照射された領域を略均等に９分割したときに、各領域の中央に位置付けられる。即ち、各センサユニット２８は、上下のシャッター２７１、２７２における、映像光の照射領域内に分散配置されている。
【００４０】
各センサユニット２８は、色度センサ２８１と照度センサ２８２により構成されている。色度センサ２８１は、Ｒ光、Ｇ光、Ｂ光にそれぞれ感度を有する３つのフォトダイオードを備え、検出したＲ光、Ｇ光、Ｂ光から色度（ｘ値，ｙ値）を演算して、色度に応じた検出信号を出力する。照度センサ２８２は、映像光の輝度を検出して、輝度に応じた検出信号を出力する。
【００４１】
図５は、制御回路部１００の構成を示すブロック図である。    
【００４２】
プロジェクタには、ランプ２１や液晶パネル２３、２４、２５等を駆動制御するため、制御回路部１００が配されている。制御回路部１００は、ＣＰＵ１０１と、メモリ１０２と、操作入力回路１０３と、映像信号入力部１０４と、映像信号処理回路１０５と、３つのパネル駆動回路１０６、１０７、１０８と、ランプ出力調整回路１０９と、シャッター駆動回路１１０とを備えている。
【００４３】
操作入力回路１０３は、操作部１４のボタン操作に応じた入力信号をＣＰＵ１０１に出力する。
【００４４】
映像信号入力部１０４は、コンポジット信号、ＲＧＢ信号などの各種映像信号に対応する各種入力端子を備え、外部から入力された映像信号を映像信号処理回路１０５へ出力する。
【００４５】
映像信号処理回路１０５は、ＲＧＢ信号以外の映像信号をＲＧＢ信号に変換する処理や、後述する映像信号のゲイン調整などの各種の調整を行う。そして、調整後のＲ信号、Ｇ信号およびＢ信号を、それぞれ、パネル駆動回路１０５、１０６、１０７へ出力する。
【００４６】
また、映像信号処理回路１０５は、メモリ１０２に記憶されたテスト画像用のデータからテスト画像用のＲＧＢ信号を生成し、生成したテスト画像用のＲ信号、Ｇ信号およびＢ信号を、それぞれ、パネル制御回路１０６、１０７、１０７へ出力する。
【００４７】
パネル駆動回路１０６、１０７、１０８は、それぞれ、ＣＰＵ１０１からの制御信号に従って、Ｒ信号、Ｇ信号およびＢ信号に応じた駆動信号（駆動電圧）を生成し、生成した駆動信号によって、対応する液晶パネル２３、２４、２５を駆動する。
【００４８】
ランプ出力調整回路１０９は、ＣＰＵ１０１からの制御信号に応じた駆動電圧を出力して、ランプ２１を駆動する。ランプ２１は、駆動電圧に応じた輝度で点灯する。なお、ランプ２１は、経年変化による輝度低下を考慮して、使用当初には最大駆動電圧よりも小さな電圧で駆動される。
【００４９】
シャッター駆動回路１１０は、ＣＰＵ１０１からの制御信号に従って、遮光シャッター２７の駆動モータ２７８を駆動する。
【００５０】
メモリ１０２は、ＲＡＭ、ＲＯＭ等で構成されている。メモリ１０２には、ＣＰＵ１０１に制御機能を付与するための制御プログラムが記憶されている。ＣＰＵ１０１は、メモリ１０２に記憶された制御プログラムに従って各部を制御する。
【００５１】
さて、本実施の形態のプロジェクタでは、商用電源が投入されると、ＣＰＵ１０１へ電源供給がなされてスタンバイ状態となる。スタンバイ状態において、操作部１４のメインスイッチが操作されると、ＣＰＵ１０１が、ランプ２１や液晶パネル２３、２４、２５を起動し運転を開始する。こうして、外部から入力された映像信号に基づく画像がスクリーンに投写される。
【００５２】
一般に、プロジェクタでは、ランプ２１や液晶パネル２３、２４、２５の経年変化に伴う劣化によって、投写画像に輝度の低下や色度の変化が生ずる。そこで、本実施の形態では、このような輝度の低下や色度の変化に対して投写画像の画質を調整する画質調整モードが実行される。画質調整モードは、たとえば、ユーザによって、メインスイッチが操作されると、通常の運転が開始される前に実行される。あるいは、ユーザによって、操作部１４に設けられた画質調整モードを実行するためのキーが操作されたときに実行される。
【００５３】
図６に示すように、メモリ１０２には、画質調整モードで用いられるテスト画像用のデータが記憶されたデータテーブルが配されている。本実施の形態では、互いに輝度の異なる、全面白一色の５つのテスト画像（テスト画像１〜テスト画像５）が用意されている。
【００５４】
テスト画像１は、最大輝度の白一色からなる画像であり、最大階調のＲＧＢ信号により生成される。テスト画像２は、最大輝度の７５％の輝度の白一色からなる画像であり、最大階調の７５％のＲＧＢ信号により生成される。以下、テスト画像３からテスト画像５は、それぞれ、最大輝度の５０％、２５％、５％の輝度の白一色からなる画像であり、それぞれ、最大階調の５０％、２５％、５％のＲＧＢ信号により生成される。
【００５５】
また、データテーブルには、これら５つのテスト画像の画像を投写したときにセンサユニット２８によって検出されるべき目標輝度と目標色度が記憶されている。目標輝度は、それぞれのテスト画像毎に設定されている。目標輝度や目標色度は、工場出荷持に設定されるが、その後、ユーザが設定できるようにしてもよい。
【００５６】
図７および図８は、画質調整モードにおける制御処理を示すフローチャートである。図７は制御処理全体の流れを示すフローチャートであり、図８（ａ）〜（ｄ）は、それぞれ、色度むら補正、輝度むら補正、色度補正および輝度補正の具体的な処理を示すフローチャートである。
【００５７】
図７を参照して、ＣＰＵ１０１は、まず、遮光シャッター２７を閉じた状態にする（Ｓ１１）。次に、ＣＰＵ１０１は、ランプ２１および液晶パネル２３、２４、２５を起動してテスト画像を出力させる（Ｓ１２）。すなわち、ＣＰＵ１０１は、ランプ２１と液晶パネル２３、２４、２５を起動した後、メモリ１０２からテスト画像１のデータを読み出し
て映像信号処理回路１０５へ送る。これにより、ダイクロイックプリズム２６からテスト画像１の映像光が出力される。出力された映像光は、図４のように、遮光シャッター２７に配された各センサユニット２８に照射される。
【００５８】
ＣＰＵ１０１は、テスト画像１の映像光を用いて、最初に、色度むらの補正処理を行う（Ｓ１３）。即ち、図８（ａ）に示すように、ＣＰＵ１０１は、まず、各色度センサ２８１によって映像光の色度を測定する（Ｓ１３１）。
【００５９】
液晶パネル２３、２４、２５の画素領域（パネル領域）は、図９に示すように、各センサユニット２８に対応する９つの領域Ａ１〜Ａ９に区画されている。ＣＰＵ１０１は、各色度センサ２８１により測定された映像光の色度が等しくなるように、領域Ａ１〜Ａ９毎に各パネル駆動回路１０６、１０７、１０８の駆動信号を調整する（Ｓ１３２）。たとえば、中央の領域Ａ５以外の８つの領域に対応する色度が、領域Ａ５に対応する色度と等しくなるように、８つの領域に対応する駆動信号が調整される。
【００６０】
ＣＰＵ１０１は、各色度センサ２８１により測定された色度が全て等しくなったか否かを判定し（Ｓ１３３）、色度が全て等しくなるまで、色度を測定しながら駆動信号の調整を繰り返す（Ｓ１３１〜Ｓ１３３）。
【００６１】
図１０に、テスト画像１の映像光を用いた画質調整の具体例を示す。
【００６２】
同図には、図９の領域Ａ５、Ａ１、Ａ９の３つの領域（厳密には、センサユニット２８の配置位置）における映像光の状態が例示されている。図１０の各図には、映像光を構成するＲ光、Ｇ光およびＢ光の輝度の状態が、棒グラフによって模式的に示されている。これら棒グラフで示された輝度は、照度センサ２８２によって検出されるものではなく、図２のダイクロイックプリズム２６によって合成される前のＲ光、Ｇ光およびＢ光の輝度を、説明の便宜上、模式的に示すものである。照度センサ２８２は、Ｒ光、Ｇ光およびＢ光の輝度ではなく、Ｒ光、Ｇ光およびＢ光が合成された映像光の輝度を検出する。
【００６３】
本実施の形態では、棒グラフで示されたＲ光、Ｇ光、Ｂ光の輝度が、それぞれ、同図の点線で示す大きさになると、映像光の輝度が、目標輝度Ｚ１になるとの条件が設定されている。また、棒グラフで示されたＲ光、Ｇ光、Ｂ光の輝度が互いに同じ大きさになると、映像光の色度が、目標色度（ＸＷ，ＹＷ）になるとの条件が設定されている。しかしながら、この条件に限らず、棒グラフで示されたＲ光、Ｇ光、Ｂ光の輝度が、それぞれ所定の大きさになったときに、映像光の輝度と色度が、それぞれ、目標輝度Ｚ１と目標色度（ＸＷ，ＹＷ）になるとの条件が設定されても良い。
【００６４】
図１０（ａ）には、補正前の状態、即ち、液晶パネル２３、２４、２５等の劣化によって、投写画像に輝度の低下および色度の変化が生じている状態が示されている。また、図１１（ａ）には、領域Ａ５、Ａ１、Ａ９（厳密には、センサユニット２８の配置位置）に対応する色度が、それぞれ目標色度（ＸＷ，ＹＷ）からずれている状態が、色度図を用いて示されている。
【００６５】
たとえば、補正前において、領域Ａ５に対応する色度が（Ｘ５、Ｙ５）、領域Ａ１に対応する色度が（Ｘ１、Ｙ１）、領域Ａ９に対応する色度が（Ｘ９、Ｙ９）であった場合、図８（ａ）のステップＳ１３２の処理では、領域Ａ１について、Ｘ５とＸ１との差分およびＹ５とＹ１との差分が求められる。そして、この差分が小さくなるように、液晶パネル２３、２４、２５毎に領域Ａ１に対応する駆動信号が増減される。同様に、領域Ａ９について、Ｘ５とＸ９との差分およびＹ５とＹ９との差分が求められる。そして、この差分が小さくなるように、液晶パネル２３、２４、２５毎に領域Ａ９に対応する駆動信号が増減
される。
【００６６】
これにより、図１０（ｂ）のように、領域Ａ１および領域Ａ９におけるＲＢＧ各光の輝度の比率が領域Ａ５におけるＲＢＧ各光の輝度の比率と同じとなり、図１１（ｂ）のように、３つの領域Ａ５、Ａ１、Ａ９に対応する色度がともに（Ｘ５、Ｙ５）となる。なお、図１０（ｂ）の破線は、色度むら補正前のＲ光、Ｇ光およびＢ光の輝度を示す。
【００６７】
こうして、全ての領域（厳密には、センサユニット２８の配置位置）に対応する色度が等しくなり、色度むらが解消される。なお、本実施の形態では、Ｒ光用の液晶パネル２３に対する駆動信号を固定して、各領域に対する色度むら補正が行われる。すなわち、色度むら補正時には、Ｇ光用およびＢ光用の液晶パネル２４、２５に対する駆動信号が調節される。これに替えて、Ｒ光用の液晶パネル２３以外の液用パネルに対する駆動信号を固定して、色度むら補正を行っても良く、あるいは、何れの液晶パネルに対する駆動信号も固定せずに、色度むら補正を行っても良い。
【００６８】
しかる後、ＣＰＵ１０１は、上記調整結果に基づいて、図１２に示すように、各液晶パネルの各領域について、色度むら補正に係る駆動信号の補正係数α（αＲ１〜αＲ９、αＧ１〜αＧ９、αＢ１〜αＢ９）を決定する（Ｓ１３４）。補正係数αは、液晶パネル２３、２４、２５毎に異なり、且つ、領域Ａ１〜Ａ９毎に異なる。補正係数αは、次式によって求められる。
【００６９】
α＝各液晶パネルの各領域（センサユニット２８の配置位置）に対する色度むら補正後の駆動信号／各液晶パネルの各領域（センサユニット２８の配置位置）に対する色度むら補正前の駆動信号    …（１）
【００７０】
本実施の形態では、こうしてセンサユニット２８の配置位置について求められた補正係数αＲ１〜αＲ９、αＧ１〜αＧ９、αＢ１〜αＢ９が、各センサユニット２８に対応する各液晶パネル２３、２４、２５の領域Ａ１〜Ａ９全体に適用される。なお、図１２は、各液晶パネル２３、２４、２５において、領域Ａ１〜Ａ９毎に決定される駆動信号の補正係数α、β、γを表した図である。
【００７１】
なお、上記のように、中央の領域Ａ５に対応する色度を基準とする場合には、領域Ａ５に対応する補正係数αＲ５、αＧ５、αＢ５は「１」となる。また、領域Ａ５以外の領域について、上記のようにＲ光用の液晶パネル２３に対する駆動信号を固定して色度むら補正を行う場合には、Ｒ光に対応する補正係数αＲ１〜αＲ４、αＲ６〜αＲ９は「１」となる。なお、補正係数αは、本発明の色度調整値に相当する。
【００７２】
図７に戻り、ＣＰＵ１０１は、次に、輝度むらの補正処理を行う（Ｓ１４）。即ち、図８（ｂ）に示すように、ＣＰＵ１０１は、まず、各照度センサ２８２によって映像光の輝度を測定する（Ｓ１４１）。
【００７３】
ＣＰＵ１０１は、各照度センサ２８２により測定された輝度が等しくなるように、領域Ａ１〜Ａ９毎に各パネル駆動回路１０６、１０７、１０８の駆動信号を調整する（Ｓ１４２）。たとえば、中央の領域Ａ５以外の８つの領域に対応する輝度が、領域Ａ５に対応する輝度と等しくなるように、８つの領域に対応する駆動信号が調整される。ＣＰＵ１０１は、各輝度センサ２８２により測定された輝度が全て等しくなったか否かを判定し（Ｓ１４３）、輝度が全て等しくなるまで、輝度を測定しながら駆動信号の調整を繰り返す（Ｓ１４１〜Ｓ１４３）。
【００７４】
図１０に示す具体例において、ステップＳ１４２の処理が行われると、領域Ａ１につい
て、領域Ａ５に対応する輝度と領域Ａ１に対応する輝度との差分が求められ、この差分が小さくなるように、領域Ａ１に対応する駆動信号が、各液晶パネル２３、２４、２５について同じ割合ずつ増減される。同様に、領域Ａ９について、領域Ａ５に対応する輝度と領域Ａ９に対応する輝度との差分が求められ、この差分が小さくなるように、領域Ａ９に対応する駆動信号が、各液晶パネル２３、２４、２５について同じ割合ずつ増減される。
【００７５】
これにより、図１０（ｃ）のように、領域Ａ１および領域Ａ９におけるＲＢＧ各光の輝度が領域Ａ５におけるＲＢＧ各光の輝度と同じとなる。なお、図１０（ｃ）の破線は、輝度むら補正前のＲ光、Ｇ光およびＢ光の輝度を示す。
【００７６】
こうして、全ての領域（厳密には、センサユニット２８の配置位置）に対応する輝度が等しくなり、輝度むらが解消されると、ＣＰＵ１０１は、上記調整結果に基づいて、図１２に示すように、輝度むら補正に係る駆動信号の補正係数β（β１〜β９）を決定する（Ｓ１４４）。補正係数βは、領域Ａ１〜Ａ９毎に異なるが、全ての液晶パネル２３、２４、２５に共通となる。補正係数βは、次式によって求められる。
【００７７】
β＝各液晶パネルの各領域（センサユニット２８の配置位置）に対する輝度むら補正後の駆動信号／各液晶パネルの各領域（センサユニット２８の配置位置）に対する輝度むら補正前の駆動信号    …（２）
【００７８】
なお、式（２）の右辺の分母は、図１０（ｂ）に示す色度むら補正が行われた後の駆動信号である。
【００７９】
上記のように補正係数βは、全ての液晶パネル２３、２４、２５について共通であるため、上記式（２）の演算は、液晶パネル２３、２４、２５のうち何れか一つについて行えば良い。すなわち、液晶パネル２３、２４、２５のうち何れか一つについて上記式（２）をもとに得られた補正係数βが、その他の液晶パネルについても適用される。
【００８０】
本実施の形態では、こうしてセンサユニット２８の配置位置について求められた補正係数β１〜β９が、各センサユニット２８に対応する各液晶パネル２３、２４、２５の領域Ａ１〜Ａ９全体に適用される。
【００８１】
なお、上記のように、中央の領域Ａ５に対応する輝度を基準とする場合には、領域Ａ５に対応する補正係数β５は「１」となる。なお、補正係数βは、本発明の輝度調整値に相当する。
【００８２】
図７に戻り、ＣＰＵ１０１は、次に、色度の補正処理を行う（Ｓ１５）。即ち、図８（ｃ）に示すように、ＣＰＵ１０１は、まず、中央の領域Ａ５に対応する色度センサ２８１によって色度を測定する（Ｓ１５１）。
【００８３】
ＣＰＵ１０１は、中央の色度センサ２８１により測定された色度が目標色度（ＸＷ，ＹＷ）となるように、各パネル駆動回路１０６、１０７、１０８の駆動信号を調整する（Ｓ１５２）。ＣＰＵ１０１は、測定された色度が目標色度（ＸＷ，ＹＷ）に到達したか否かを判定し（Ｓ１５３）、目標色度（ＸＷ，ＹＷ）に到達するまで、色度を測定しながら駆動信号の調整を繰り返す（Ｓ１５１〜Ｓ１５３）。
【００８４】
図１０および図１１の具体例において、中央の領域Ａ５に対応する色度センサ２８１により測定される色度は（Ｘ５、Ｙ５）であるため、ステップＳ１５２の処理が行われると、ＸＷとＸ５との差分およびＹＷとＹ５との差分が求められる。そして、この差分が小さくなるように、液晶パネル２３、２４、２５毎に駆動信号が増減される。このとき、各液
晶パネル２３、２４、２５では、すでに色度むらおよび輝度むらが解消されているため、３つの領域Ａ５、Ａ１、Ａ９に対応する駆動信号は等しく増減される。
【００８５】
これにより、図１１（ｃ）のように、３つの領域Ａ５、Ａ１、Ａ９に対応する色度がともに目標色度（ＸＷ、ＹＷ）となる。このとき、領域Ａ５、Ａ１、Ａ９におけるＲＢＧ各光の輝度の大きさは、図１０（ｄ）のように、互いに等しくなる。なお、図１０（ｄ）の破線は、色度補正前のＲ光、Ｇ光およびＢ光の輝度を示す。
【００８６】
こうして、全ての領域（厳密には、センサユニット２８の配置位置）に対応する色度が目標色度に到達する。なお、本実施の形態では、Ｒ光用の液晶パネル２３に対する駆動信号を固定して、各領域に対する色度補正が行われる。すなわち、色度補正時には、Ｇ光用およびＢ光用の液晶パネル２４、２５に対する駆動信号が調節される。これに替えて、Ｒ光用の液晶パネル２３以外の液用パネルに対する駆動信号を固定して、色度補正を行っても良く、あるいは、何れの液晶パネルに対する駆動信号も固定せずに、色度補正を行っても良い。
【００８７】
しかる後、ＣＰＵ１０１は、上記調整結果に基づいて、図１２に示すように、色度補正に係る駆動信号の補正係数γ（γＲ、γＧ、γＢ）を決定する（Ｓ１５４）。補正係数γは、液晶パネル２３、２４、２５毎に異なるが、全ての領域Ａ１〜Ａ９に共通となる。補正係数γは、次式によって求められる。
【００８８】
γ＝各液晶パネルの各領域（センサユニット２８の配置位置）に対する色度むら補正後の駆動信号／各液晶パネルの各領域（センサユニット２８の配置位置）に対する色度むら補正前の駆動信号    …（３）
【００８９】
なお、式（３）の右辺の分母は、図１０（ｃ）に示す輝度むら補正が行われた後の駆動信号である。
【００９０】
上記のように補正係数γは、各液晶パネル２３、２４、２５の全ての領域Ａ１〜Ａ９について共通であるため、上記式（３）の演算は、各液晶パネル２３、２４、２５における領域Ａ１〜Ａ９のうち何れか一つについて行えば良い。すなわち、領域Ａ１〜Ａ９のうち何れか一つ（たとえば、領域Ａ５）について上記式（３）をもとに得られた補正係数γが、その他の領域についても適用される。
【００９１】
本実施の形態では、こうして求められた補正係数γＲ、γＧ、γＢが、各液晶パネル２３、２４、２５の領域Ａ１〜Ａ９全体に適用される。
【００９２】
なお、上記のようにＲ光用の液晶パネル２３に対する駆動信号を固定して色度むら補正を行う場合には、Ｒ光に対応する補正係数γＲは「１」となる。
【００９３】
図７に戻り、ＣＰＵ１０１は、最後に、輝度の補正処理を行う（Ｓ１６）。即ち、図８（ｅ）に示すように、ＣＰＵ１０１は、まず、中央の領域Ａ５に対応する照度センサ２８２によって輝度を測定する（Ｓ１６１）。
【００９４】
ＣＰＵ１０１は、中央の照度センサ２８２により測定された輝度が目標輝度Ｚ１と等しくなるように、映像信号処理回路１０５において、テスト画像１のための映像信号（ＲＧＢ信号）のゲインを調整する（Ｓ１６２）。ＣＰＵ１０１は、測定された輝度が目標輝度Ｚ１に到達したか否かを判定し（Ｓ１６３）、目標輝度Ｚ１に到達するまで、輝度を測定しながらゲインの調整を繰り返す（Ｓ１６１〜Ｓ１６３）。
【００９５】
図１０の具体例において、ステップＳ１４２の処理が行われると、目標輝度Ｚ１と中央の照度センサ２８２により測定された輝度との差分が求められる。そして、この差分が小さくなるように、映像信号処理回路１０５において、映像信号のゲインが増減される。各パネル駆動回路１０６、１０７、１０８では、映像信号のゲインの増減に対応して駆動信号が増減される。
【００９６】
これにより、図１０（ｅ）のように、領域Ａ５、Ａ１、Ａ９に対応する輝度が目標輝度Ｚ１と等しくなる。なお、図１０（ｅ）の破線は、色度補正前のＲ光、Ｇ光およびＢ光の輝度を示す。
【００９７】
こうして、全ての領域に対応する輝度が目標輝度Ｚ１に到達すると、ＣＰＵ１０１は、そのときの映像信号のゲインを補正係数δとする。（Ｓ１６４：図１０（ｅ）参照）。
【００９８】
上記のように補正係数δは、全ての液晶パネル２３、２４、２５の全ての領域Ａ１〜Ａ９について共通であるため、上記映像信号ゲイン（補正係数δ）の設定は、液晶パネル２３、２４、２５のうち何れか一つの所定の領域（たとえば、領域Ａ５）について行えば良い。すなわち、液晶パネル２３、２４、２５のうち何れか一つの所定の領域について得られた補正係数δが、当該液晶パネルのその他の領域、および、その他の液晶パネルの全ての領域Ａ１〜Ａ９についても適用される。
【００９９】
本実施の形態では、こうしてセンサユニット２８の配置位置について求められた補正係数δが、各センサユニット２８に対応する各液晶パネル２３、２４、２５の領域Ａ１〜Ａ９全体に適用される。なお、補正係数δは、全ての液晶パネル２３、２４、２５の全ての領域Ａ１〜Ａ９について共通であるため、便宜上、図１２からは図示省略されている。
【０１００】
図７に戻り、ＣＰＵ１０１は、輝度補正が完了することにより、テスト画像１による画質調整が全て完了すると、全てのテスト画像での画質調整が完了したか否かを判定する（Ｓ１７）。ここでは、まだ、テスト画像２以降のテスト画像による画質調整が完了していないので、ステップＳ１２の処理に戻る。そして、ＣＰＵ１０１は、テスト画像２を用いて、テスト画像１の場合と同様に、色度むら補正、輝度むら補正、色度補正および輝度補正を行う（Ｓ１２〜Ｓ１６）。これにより、テスト画像２による補正係数α、β、γ、δが決定される。
【０１０１】
同様に、ＣＰＵ１０１は、テスト画像３、テスト画像４およびテスト画像５を用いて、順次、画質調整を行う。これにより、これらのテスト画像による補正係数α、β、γ、δが決定される。
【０１０２】
こうして、全てのテスト画像による画質調整が完了すると（Ｓ１７：ＹＥＳ）、ＣＰＵ１０１は、映像信号の各階調（０〜１００％）に対応付けて補正係数α、β、γ、δの値が設定された補正係数テーブルを作成する（Ｓ１８）。
【０１０３】
図１３（ａ）は、補正係数とＲＧＢ信号の階調との関係の一例を模式的に示した図である。図中のプロット点は、５つのテスト画像により得られた補正係数（α、β、γ、δ）を示す。
【０１０４】
液晶パネル２３、２４、２５が同じ劣化状態にあっても、入力されるＲＧＢ信号の階調が異なることによって各液晶パネル２３、２４、２５での変調度合が異なると、投写画像に生じる輝度の低下度合や色度の変化度合が異なってくる。このため、図１３（ａ）に示すように、上記４つの補正係数α、β、γ、δの値は、ＲＧＢ信号の階調の大きさに応じて変動する。なお、液晶パネルの個体差により、プロジェクタ個々に補正係数の変動傾向
が異なってくるため、図１３（ａ）は、補正係数の決まった変動傾向を示すものではなく、あくまでも補正係数が変動することを模式的に示すものにすぎない。
【０１０５】
そこで、ＣＰＵ１０１は、５つテスト画像により得られた５つの補正係数の値に基づいて、各階調（０〜１００％）に応じた補正係数α、β、γ、δの値を決める。たとえば、図１３に示すように、５つの補正係数値の間を直線で結び、各直線の傾きから、２つの補正係数の間の階調に対応する補正係数を決定する。補正係数は、１階調毎に、あるいは数階調の幅で設定され得る。このようにして、ＣＰＵ１０１は、補正係数α、β、γ、δ毎に、補正係数テーブルを完成させる。
【０１０６】
図１３（ｂ）〜（ｅ）に、補正係数テーブルの一例を示す。同図（ｂ）〜（ｅ）は、映像信号の全階調が２５６階調（０〜２５５）である場合に、５階調の幅で補正係数α、β、γ、δが設定された補正係数テーブルの例を示す。なお、同図（ｂ）、（ｃ）、（ｄ）の補正係数α、β、γの補正係数テーブルについては、各液晶パネル２３、２４、２５の領域Ａ１〜Ａ９毎に作成される。
【０１０７】
こうして、作成された補正係数α、β、γの補正係数テーブルは、各パネル駆動回路１０６、１０７、１０８に保持される。また、補正係数δの補正係数テーブルは、映像信号処理回路１０５に保持される。なお、実際には、３つの補正係数α、β、γが乗算されることにより、液晶パネル２３、２４、２５の駆動信号に係る補正係数は１つにまとめられ、１つにまとめられた補正係数Ｐの補正係数テーブルがパネル駆動回路１０６、１０７、１０８に保持されるようにすることが望ましい。
【０１０８】
最後に、ＣＰＵ１０１は、遮光シャッター２７を開いた状態とし（Ｓ１９）、画質調整モードを終了する。
【０１０９】
その後の投写動作では、映像信号処理回路１０５において、入力された映像信号のゲインが補正係数δに従って調整される。続いて、各パネル駆動回路１０６、１０７、１０８において、映像信号に基づく駆動信号が補正係数α、β、γ（補正係数Ｐ）に従って調整され、調整後の駆動信号によって各液晶パネル２３、２４、２５が駆動される。
【０１１０】
このように、本実施の形態によれば、ランプ２１や液晶パネル２３、２４、２５が経年変化により劣化しても、画質調整モードにより設定された補正係数に基づいて、自動的に画質調整が行われるため、画像の品質を良好に保持できる。
【０１１１】
特に、本実施の形態によれば、遮光シャッター２７に複数のセンサユニット２８（色度センサ２８１、照度センサ２８２）を分散して配置する構成としているので、これらセンサユニット２８により測定された色度や輝度に基づいて色度むらや輝度むらを解消することができ、画像の品質を一層良好に保持できる。
【０１１２】
また、上記実施の形態によれば、互いに輝度が異なる複数のテスト画像を用いて画質調整を行うことにより、それぞれのテスト画像から求めた補正係数に基づいて、ＲＧＢ信号の階調に応じた補正係数を設定することができる。これにより、これら補正係数を用いて、ＲＧＢ信号の階調に応じた適正な画質調整を行うことができる。
【０１１３】
さらに、上記実施の形態によれば、遮光シャッター２７を、ダイクロイックプリズム２６と投写レンズ３０の間に配するようにしているので、投写レンズ３０に入射する前の映像光が、センサユニット２８(色度センサ２８１、照度センサ２８２)に照射される。よって、映像光が減衰したり機外の光の影響を受けたりしにくく、色度や輝度を精度良く検出することができる。
【０１１４】
以上、本実施の形態について説明したが、本発明は上記実施の形態に何ら制限されるものではなく、また、本発明の実施形態も、上記実施の形態に以外に、種々の変更が可能である。
【０１１５】
たとえば、上記実施の形態では、ステップＳ１３で色度むらを補正した後にステップＳ１５で色度を補正するようにしている。しかしながら、各色度センサ２８１により測定した色度に基づいて、ＣＰＵ１０１が、各領域Ａ１〜Ａ９に対応する色度が目標色度（ＸＷ，ＸＹ）に到達するように各パネル駆動回路１０６、１０７、１０８の駆動信号を調整することにより、色度むら補正と色度補正とを一度に行うようにしてもよい。
【０１１６】
また、上記実施の形態では、映像信号処理回路１０５において、映像信号のゲインを調整することにより、輝度の補正を行うようにしているが、ランプ出力調整回路１１０によってランプ２１の輝度を調整することにより、輝度の補正を行うようにしてもよい。
【０１１７】
さらに、上記実施の形態では、色度センサ２８１と照度センサ２８２とでセンサユニット２８を構成するようにしている。しかしながら、これに限らず、Ｒ光、Ｇ光、Ｂ光にそれぞれ感度を有する３つのフォトダイオードによりセンサユニット２８を構成ようにしてもよい、この場合、センサユニット２８からはＲＧＢ各光の輝度に応じた検出信号が出力される。ＣＰＵ１０１は、センサユニット２８から入力されるＲＧＢ各光の輝度の比率に基づいて映像光の色度を求め、また、ＲＧＢ各光の輝度を合算して映像光の輝度を求める。
【０１１８】
なお、上記のように、センサユニット２８からＲＧＢ各光の輝度に応じた検出信号が出力されるような構成とした場合には、画質調整モードが、以下のように変更されてもよい。
【０１１９】
即ち、メモリ１０２には、図６のデータデーブルに替えて、図１４に示すデータテーブルが記憶される。図１４のデータテーブルでは、図６の目標色度および目標輝度に替えて、目標色度および目標輝度となるときのセンサユニット２８で検出されるＲＧＢ各光の輝度の値が目標値として設定される。
【０１２０】
本変更例の画質調整モードでは、図１５（ａ）の処理フローに示すように、画質の補正処理（Ｓ２０）が、図７の処理フローの色度むら補正、輝度むら補正、色度補正および輝度補正（Ｓ１３〜Ｓ１６）に替えて実行される。
【０１２１】
画質の補正処理は、図１５（ｂ）の処理フローに示されている。まず、ＣＰＵ１０１は、各センサユニットにより、ＲＧＢ各光の輝度をそれぞれ測定する（Ｓ２０１）。そして、ＣＰＵは、測定したＲＧＢ各光の輝度が、それぞれの目標値に達するように、領域Ａ１〜Ａ９毎に各パネル駆動回路１０６、１０７、１０８の駆動信号を調整する（Ｓ２０２）。ＲＧＢ各光の輝度が、それぞれの目標値に達すれば（Ｓ２０３：ＹＥＳ）、色度むら、輝度むら、色度および輝度の全ての補正が完了する。ＣＰＵ１０１は、上記調整結果に基づいて、各液晶パネルの各領域について、画質の補正に係る駆動信号の補正係数Ｓ（ＳＲ１〜ＳＲ９、ＳＧ１〜ＳＧ９、ＳＢ１〜ＳＢ９）を決定する（Ｓ２０４）。補正係数Ｓは、液晶パネル２３、２４、２５毎に異なり、且つ、領域Ａ１〜Ａ９毎に異なる。補正係数Ｓは、次式によって求められる。
【０１２２】
Ｓ＝各液晶パネルの各領域（センサユニット２８の配置位置）に対する画質補正後の駆動信号／各液晶パネルの各領域（センサユニット２８の配置位置）に対する画質補正前の駆動信号    …（４）
【０１２３】
本変更例では、こうしてセンサユニット２８の配置位置について求められた補正係数ＳＲ１〜ＳＲ９、ＳＧ１〜ＳＧ９、ＳＢ１〜ＳＢ９が、各センサユニット２８に対応する各液晶パネル２３、２４、２５の領域Ａ１〜Ａ９全体に適用される。
【０１２４】
画質調整モードを本変更のようにすれば、色度むら補正、輝度むら補正、色度補正および輝度補正が一度に行われ、１つの補正係数Ｓのみが設定される。なお、本変更例の場合には、補正係数Ｓが、本発明の色度調整値および輝度調整値に相当することとなる。
【０１２５】
また、上記実施の形態では、センサユニット２８からの検出信号をもとに求めた補正係数（α、β、γ、δ）が、そのセンサユニット２８に対応する領域全体に適用される。しかしながら、各液晶パネル２３、２４、２５の劣化状態は、各領域内で全て同じではなく、その領域に対応するセンサユニット２８の位置から離れるに従って、周りの領域の劣化状態に近づくと考えられる。
【０１２６】
そこで、図１６（ａ）に示すように、各液晶パネル２３、２４、２５を、センサユニット２８の個数よりも細かく分割するとともに、各センサユニット２８に対応する領域Ａ１〜Ａ９について、上記実施の形態と同様にして補正係数を求め、領域Ａ１〜Ａ９の補正係数に基づいて、これら以外の領域の補正係数を求めるような構成としてもよい。この場合、図１６（ｂ）に示すように、各領域Ａ１〜Ａ９の補正係数の値に相当する軸を仮想的に設け、その軸の頂点を結ぶ平面を仮想的に描く。たとえば、図１６（ｂ）に示す領域Ｑの補正係数の値は、その領域Ｑの位置から平面まで延びる軸の高さとして求めることができる。
【０１２７】
なお、図１６（ｂ）において、領域Ａ１〜Ａ９よりも外側の周辺部分の平面は、たとえば、以下のように設定される。すなわち、領域Ａ１の軸を、領域Ａ１の左方および後方の画素領域の境界位置と、画素領域の左後方の角の位置に設定する。領域Ａ３の軸を、領域Ａ３の右方および後方の画素領域の境界位置と、画素領域の右後方の角の位置に設定する。領域Ａ７の軸を、領域Ａ７の左方および前方の画素領域の境界位置と、画素領域の左前方の角の位置に設定する。領域Ａ９の軸を、領域Ａ９の右方および前方の画素領域の境界位置と、画素領域の左後方の角の位置に設定する。領域Ａ２の軸を、領域Ａ２の後方の境界位置に設定する。領域Ａ４の軸を、領域Ａ４の左方の境界位置に設定する。領域Ａ６の軸を、領域Ａ６の右方の境界位置に設定する。領域Ａ８の軸を、領域Ａ８の前方の境界位置に設定する。こうして設定した軸の頂点を結ぶことで、図１６（ｂ）のように、領域Ａ１〜Ａ９よりも外側の周辺部分の平面が設定される。かかる周辺部分の各領域の補正係数の値は、各領域の位置から、こうして設定された平面まで延びる軸の高さとして求められる。
【０１２８】
さらに、上記実施の形態では、９個のセンサユニット２８を遮光シャッター２７に配するようにしているが、センサユニット２８の個数は、９個に限られるものでなない。たとえば、５個や１５個であってもよい。
【０１２９】
また、本実施の形態では、遮光シャッター２７を、ダイクロイックプリズム２６と投写レンズ３０の間に配するようにしているが、これに限らず、遮光シャッター２７を、投写レンズ３０の出射面側に配することもできる。ただし、この場合には、映像光の減衰の影響や機外の光の影響を受けやすくなり得る。
【０１３０】
さらに、本実施の形態のプロジェクタは、単灯式のプロジェクタであるが、多灯式のプロジェクタであってもよい。
【０１３１】
この他、本発明の実施の形態は、特許請求の範囲に示された技術的思想の範囲内において、適宜、種々の変更が可能である。
【符号の説明】
【０１３２】
２１  ランプ（光源）
２３、２４、２５  液晶パネル（光変調部）
２７  遮光シャッター（シャッター）
２８  センサユニット（検出部）
２８１  色度センサ（色度検出部）
２８２  照度センサ（輝度検出部）
３０  投写レンズ（投写部）
１０１  ＣＰＵ（画質調整部）
１０５  映像信号処理回路（画質調整部）
１０６、１０７、１０８  パネル駆動回路（画質調整部）
１０９  ランプ出力調整回路（画質調整部）
【図１】
2011223350.tif 000003
【図２】
2011223350.tif 000004
【図３】
2011223350.tif 000005
【図４】
2011223350.tif 000006
【図５】
2011223350.tif 000007
【図６】
2011223350.tif 000008
【図７】
2011223350.tif 000009
【図８】
2011223350.tif 000010
【図９】
2011223350.tif 000011
【図１０】
2011223350.tif 000012
【図１１】
2011223350.tif 000013
【図１２】
2011223350.tif 000014
【図１３】
2011223350.tif 000015
【図１４】
2011223350.tif 000016
【図１５】
2011223350.tif 000017
【図１６】
2011223350.tif 000018